(57)【要約】【課題】リングゲージを指輪のサイズを容易かつ正確に測定可能とするとともに、該リングゲージの大きさを状況に応じて適切に変更可能とする。また、利用者への提供を容易に可能とする。【解決手段】リングゲージ１を指輪のサイズを測定するための目盛り２ａを一定間隔ごとに備えた指輪ゲージ部２と、指のサイズを測定するための貫通孔３ａを複数備えた指ゲージ部３とで構成し、前記指輪ゲージ部２を前記指ゲージ部３に切離可能に連結した。【選択図】図１
0003136077.tif 000002
【実用新案登録請求の範囲】
【請求項１】
指輪のサイズを測定するための目盛りを一定間隔ごとに備えた指輪ゲージ部と、指のサイズを測定するための貫通孔を複数備えた指ゲージ部とで構成し、前記指輪ゲージ部を前記指ゲージ部に切離可能に連結したことを特徴とするリングゲージ。
【請求項２】
前記指輪ゲージ部と、前記指ゲージ部とを一枚板状に形成したことを特徴とする請求項１に記載のリングゲージ。
【請求項３】
前記指ゲージ部に複数の貫通孔を複数列に配置して、該指ゲージ部をいずれかの貫通孔の列を含むように分割可能としたことを請求項１または請求項２に記載のリングゲージ。
【請求項４】
前記指ゲージ部に複数の貫通孔を複数列に配置して、或る列において、貫通孔のサイズが昇順となるように貫通孔が配置され、前記或る列の隣の列において、貫通孔のサイズが降順となるように貫通孔が配置されることとしたことを特徴とする請求項１乃至請求項３のいずれか一項に記載のリングゲージ。
【考案の詳細な説明】
【技術分野】
【０００１】
本発明は、指輪のサイズを測定するためのリングゲージに関する。
【背景技術】
【０００２】
従来、一般的に規定される一号〜三十号程度の個々の指輪のサイズと同一の内径を有する金属または樹脂製の複数のリングを束ね、各リングに指を挿入することで、指輪のサイズを測定可能としたリングゲージが公知となっている（例えば、特許文献１参照。）。また、はがきと連結するカードに一般的に規定される一号〜三十号程度の個々の指輪のサイズと同一の孔径を有する複数の孔を設け、各孔に指を挿入することで、指輪のサイズを測定可能とし、その測定結果を記載したはがきを郵送可能としたリングゲージが公知となっている（例えば、特許文献２参照。）。
【特許文献１】登録実用新案第３０１８３９９号
【特許文献２】実開平７−３１３７０号公報
【考案の開示】
【考案が解決しようとする課題】
【０００３】
ところが、特許文献１に開示されるような構成では、通信販売などで顧客に指輪のサイズを測定してもらうために指輪の販売者がリングゲージを提供する場合、リングゲージが嵩張るため、高い輸送コストや梱包作業の手間などが発生することになる。このため、顧客に対して容易に配送することができないものである。また、保管に際しても、販売者及び顧客の両者において保管場所を確保する必要があった。
【０００４】
また、特許文献１及び特許文献２に開示されるような構成では、既存の指輪のサイズを測定することができず、既存の指輪のサイズを基準として新たに注文するといったニーズには対応できないものであった。
【０００５】
また、特許文献２の構成においては、はがきサイズとするものの、そのはがきサイズを維持したままに利用されることから、利用勝手が悪いものであった。即ち、例えば、薬指のサイズを測る際には、中指と小指を完全に折り曲げた状態とする、又は、薬指を完全に曲げる状態として、はがきが中指や小指と干渉しないようにする必要があるのである。そして、このように指を曲げる際には、一般の利用者においては、指に神経を集中して過度の力を入れる必要があり、利用者に大きな負担を強いることになる。また、指を曲げることによって、指の付け根部分の肉の移動や、筋が張るといったことなどが生じることになる。このため、指を真っ直ぐに伸ばした状態における本来計測したい指の周囲の長さを取得することができず、実際に顧客の手元に届いた指輪が顧客の指のサイズに合致しないという不具合が生じ得る。
【０００６】
また、特許文献２の構成においては、はがきサイズとするものの、利用者ははがきサイズを維持して保管する必要があった。つまりは、保管の形態の自由度が低いものであった。
【課題を解決するための手段】
【０００７】
本発明の解決しようとする課題は以上の如くであり、次にこの課題を解決するための手段を説明する。
【０００８】
即ち、請求項１においては、指輪のサイズを測定するための目盛りを一定間隔ごとに備えた指輪ゲージ部と、指のサイズを測定するための貫通孔を複数備えた指ゲージ部とで構成し、前記指輪ゲージ部を前記指ゲージ部に切離可能に連結したものである。
【０００９】
請求項２においては、前記指輪ゲージ部と、前記指ゲージ部とを一枚板状に形成したものである。
【００１０】
請求項３においては、前記指ゲージ部に複数の貫通孔を複数列に配置して、該指ゲージ部をいずれかの貫通孔の列を含むように分割可能とするものである。
【００１１】
請求項４においては、前記指ゲージ部に複数の貫通孔を複数列に配置して、或る列において、貫通孔のサイズが昇順となるように貫通孔が配置され、前記或る列の隣の列において、貫通孔のサイズが降順となるように貫通孔が配置されることとしたものである。
【考案の効果】
【００１２】
本発明の効果として、以下に示すような効果を奏する。
【００１３】
請求項１においては、指と既存の指輪のいずれか一方もしくは両方から指輪のサイズを容易かつ正確に測定することが可能となる。また、指輪ゲージ部と指ゲージ部を切り離すことによって、リングゲージの大きさを適切に変更することが可能となり、保管や持ち運び等を簡単に行うことができる。
【００１４】
請求項２においては、リングゲージをコンパクトに構成して、配送や保管を容易にすることができる。
【００１５】
請求項３においては、指ゲージ部の大きさを保管状況や、持ち運びなどの用途に応じて、適切に変更することができる。また、指を自然に伸ばした状態で測定できることから、指輪を装着した場合を再現した状態での指のサイズの測定が可能となり、最適な指のサイズの測定が可能となる。
【００１６】
請求項４においては、指ゲージ部に貫通孔を効率良く配置して、リングゲージをコンパクトに構成することができる。
【考案を実施するための最良の形態】
【００１７】
次に、発明の実施の形態を説明する。
【００１８】
図１はリングゲージの全体構成を示した斜視図、図２はリングゲージの全体構成を示した平面図、図３は指輪ゲージ部の構成を示した平面図、図４は指ゲージ部の構成を示した平面図、図５は指ゲージ部を分割した状態を示した平面図、図６はリングゲージを封筒に挿入する状態を示した斜視図、図７はリングゲージにシールを貼着した状態を示した平面図である。
【００１９】
図１、図２に示すように、リングゲージ１は、一定間隔ごとに目盛り２ａ・２ａ・・・を有する指輪のサイズ測定用指輪ゲージ部２と、複数の貫通孔３ａ・３ａ・・・を有する指輪のサイズ測定用指ゲージ部３とで構成されている。この指輪ゲージ部２、及び、指ゲージ部３は、紙、厚紙、樹脂板などからなり、それぞれ板状に形成されている。尚、その厚みは、適宜設定されるものであり、特に限定されるものではないが、例えば、１ｍｍ厚のものとして、適度な定型性を具備することとしてもよい。また、再生紙などのリサイクル品のように、環境に配慮した材料を用いてもよい。
【００２０】
また、図１、図２に示すように、指輪ゲージ部２及び指ゲージ部３は、それぞれ平面視略台形状に形成され、指輪ゲージ部２の長手方向における斜辺の寸法が指ゲージ部３の長手方向における斜辺の寸法と略同等とされている。そして、指輪ゲージ部２と指ゲージ部３が互いの長手方向の斜辺が接するように連結されて、平面視略矩形状かつ一枚板状に形成されている。
【００２１】
また、図３、図４にも示すように、指輪ゲージ部２と指ゲージ部３は、その連結部に構成される切目１ａにて互いに切離可能とされている。本実施形態においては、指輪ゲージ部２と指ゲージ部３とは、当該指輪ゲージ部２の長手方向において、前記切目１ａに繋部１ｂ・１ｂを適宜の間隔で設けることとしている。そして、この繋部１ｂ・１ｂにて指ゲージ部３と指輪ゲージ部２を連結するとともに、この繋部１ｂを破断することにより指ゲージ部３と指輪ゲージ部２を互いに切り離すことができるようにしている。また、繋部１ｂ・１ｂを適宜の間隔で設けることで、容易かつ任意に切り離しが可能となっている。また、この繋部１ｂ・１ｂは、接着剤や粘着性のある樹脂などで構成することができる。また、切目を断続的なミシン目状として、指輪ゲージ部２と指ゲージ部３とを連結するとともに、切離可能とすることもできる。
【００２２】
また、指輪ゲージ部２は、図３に示すように、長手方向において先細状とされており、指輪のサイズを表示する目盛り２ａ・２ａ・・・が、その短手方向の幅の大きさ順に、長手方向に一定間隔ごとに印刷や溝などにより設けられている。この目盛り２ａは、本実施形態においては、一般的に指輪のサイズとして規定されている一号〜三十号の指輪のサイズを測定可能とし、指輪ゲージ部２がその先細側から指輪に挿入されることで、当該指輪のサイズ（内径）を決定することができるようになっている。尚、目盛り２ａのサイズについて、三十号よりも大きいものを設けてもよい。
【００２３】
一方、指ゲージ部３には、図４、図５に示すように、それぞれ異なる孔径を有する複数の貫通孔３ａ・３ａ・・・が備えられており、これらの貫通孔３ａが複数列に分かれて配置されている。この貫通孔３ａは、本実施形態においては、三列に分かれて配置され、一般的に指輪のサイズとして規定されている一号〜三十号（一部除く）の指輪のサイズを測定可能とし、指が当該貫通孔３ａに挿入されることで、指のサイズ（周囲の長さ）に対応する指輪のサイズ（内径）を決定することができるようになっている。また、図４に示すごとく、各貫通孔３ａ・３ａ・・・の近傍には、そのサイズを示すサイズ表記４・４・・・が配置されている。尚、貫通孔３ａのサイズについて、三十号よりも大きいものを設けてもよい。
【００２４】
また、図３に示すごとく、前記貫通孔３ａの各列では、所定数の貫通孔３ａが配置され、その孔径の大きさ順番（昇順、又は、降順）に指ゲージ部３の長手方向に一定間隔ごとに設けられている。ここで、貫通孔３ａの隣り合う列では、孔径の大きさの並び順が指ゲージ部３の長手方向において互いに逆となるように、貫通孔３ａが配置されている。
【００２５】
さらに、指ゲージ部３はその短手方向に複数に切り離して分割可能とされている。指ゲージ部３の分割体３Ａ・３Ｂ・３Ｃは、それぞれ貫通孔３ａの各列を含む平面視略矩形状とされ、その長手方向において、互いの切目３ｂ・３ｃに繋部３ｄ・３ｅを適宜の間隔で設けることとしている。そして、この繋部３ｄ・３ｅにて分割体３Ａ・３Ｂ・３Ｃを連結するとともに、この繋部３ｄ・３ｅを破断することにより分割体３Ａ・３Ｂ・３Ｃを互いに切り離すことができるようにしている。また、繋部３ｄ・３ｅを適宜の間隔で設けることで、容易かつ任意に切り離しが可能となっている。また、この繋部３ｄ・３ｅは、接着剤や粘着性のある樹脂などで構成することができる。また、切目を断続的なミシン目状として、分割体３Ａ・３Ｂ・３Ｃを連結するとともに、切離可能とすることもできる。
【００２６】
そして、図６に示すように、このような指輪ゲージ部２と指ゲージ部３とを備えるリングゲージ１において、そのサイズを例えば定形の封筒５のサイズよりも小さく形成することによれば、該封筒５に封入可能とすることができる。こうして、指輪の販売形態が通信販売などの場合には、リングゲージ１をインターネットや電話などでの申し込みにより簡単に郵便などで配送することができる。この配送の際のコストも安価に抑えることができる。また、リングゲージ１を定形サイズ（もしくは定形サイズ以内）とし、図７と同様に、表面にシールを貼着することで、封筒を用いずに発送することとしてもよい。また、通販雑誌などに添付されたりすることもできる。そして、これにより、顧客による指輪のサイズが容易かつ正確に測定可能となり、その測定結果に応じて適切なサイズの指輪の販売を行うことができるようなる。また、購入者からの返品やクレーム、サイズ変更などといったトラブルの発生も抑えることが可能となる。
【００２７】
また、リングゲージ１のサイズは、図７に示すように、はがきサイズと同等の大きさとすることも可能である。この場合、前述の封筒サイズの場合に比べて、リングゲージ１１は縮小されることから、指輪ゲージ部１２では適宜の幅の目盛り１２ａが選択され、指ゲージ部３では適宜の孔径の貫通孔１３ａが選択され、所定の範囲で指輪のサイズが容易かつ正確に測定可能とされる。但し、指輪のサイズの測定可能な範囲は、任意に変更可能である。
【００２８】
そしてこのリングゲージ１には、シール１５が貼着可能とされる。シール１５は、表面に顧客の宛名や宛先を印刷または記入により表示し、リングゲージ１１に貼着されることで、指輪の販売形態が通信販売などの場合に、当該リングゲージ１１をはがきとして郵便などで配送することができるように構成されている。これにより、シール１５を貼着して宛名を明記するだけで、リングゲージ１１を郵便などで配送して、顧客に容易に届けることが可能となる。
【００２９】
なお、指輪の販売形態が店頭販売などの場合には、リングゲージ１・１１で指輪のサイズが測定されて、適切なサイズの指輪の販売が行われた後、顧客に手渡すといった販促品としての利用も可能である。また、このような販促品の提供により、販売者においては、顧客に対しリングゲージを利用した次回の指輪の購入を促すことができ、顧客においては、次回の指輪の購入の際に利用することができる。また、リングゲージ１・１１の一部に、販売者の名前を標章として表示したり、連絡先などを表示することで、品質保証、顧客吸引力を発揮させることができ、リングゲージを利用したブランドの確立を図ることもできる。特に、指輪のサイズは、顧客によって千差万別であり、各顧客の指のサイズに適合する指輪を提供し、顧客満足度の向上を図ることは、販売者にとって重要な課題である。このような課題に関連し、販売者は、高品質商品の提供のイメージ、また、それを実現するための高度な技術のアピールの機会、といったことをリングゲージの利用を介して獲得することが可能となる。
【００３０】
以上のように、指輪のサイズを測定するための目盛り２ａ・１２ａを一定間隔ごとに備えた指輪ゲージ部２・１２と、指のサイズを測定するための貫通孔３ａ・１３ａを複数備えた指ゲージ部３・１３とで構成し、前記指輪ゲージ部２・１２を前記指ゲージ部３・１３に切離可能に連結したことから、指と既存の指輪のいずれか一方もしくは両方から指輪のサイズを容易かつ正確に測定することが可能となる。また、指輪ゲージ部２・１２と指ゲージ部３・１３を切り離すことによって、リングゲージ１・１１の大きさを状況に応じて適切に変更することが可能となり、保管や持ち運び等を簡単に行うことができる。
【００３１】
また、前記リングゲージ１・１１において、前記指輪ゲージ部２・１２と、前記指ゲージ部３・１３とを一枚板状に形成したことから、該リングゲージ１・１１をコンパクトに構成して、郵便などでの配送や保管を容易にすることができる。
【００３２】
また、前記リングゲージ１・１１において、前記指ゲージ部３・１３に複数の貫通孔３ａ・１３ａを複数列に配置して、該指ゲージ部３・１３をいずれかの貫通孔３ａ・１３ａの列を含むように分割可能としたことから、指ゲージ部の大きさを保管状況や、持ち運びなどの用途に応じて、適切に変更することができる。
【００３３】
また、指のサイズを容易に測定することが可能となる。即ち、指のサイズを測定する際には、指ゲージ部を分割して利用することにより、その幅が狭くなることから、例えば、薬指のサイズを測定する際では、中指、薬指、小指を伸ばしつつ、各指を開くことで、中指及び小指と干渉することなく指ゲージを薬指の付け根まで移動させることができる。このように、利用者に負担をかけることなく、指のサイズの測定を可能とすることができる。また、指を自然に伸ばした状態で測定できることから、指輪を装着した場合を再現した状態での指のサイズの測定が可能となり、最適な指のサイズの測定が可能となるのである。
【００３４】
また、前記リングゲージ１・１１において、前記指ゲージ部３・１３に複数の貫通孔３ａ・１３ａを複数列に配置して、或る列において、貫通孔３ａ・１３ａのサイズが昇順となるように貫通孔３ａ・１３ａが配置され、前記或る列の隣の列において、貫通孔３ａ・１３ａのサイズが降順となるように貫通孔３ａ・１３ａが配置されることとしたことから、指ゲージ部３・１３に貫通孔３ａ・１３ａを効率良く配置して、リングゲージ１・１１をコンパクトに構成することができる。
【００３５】
また、以上の構成において、従来技術との顕著な相違点は、略台形形状の複数の板状部材を切離可能に並設し、また、各板状部材における貫通孔や目盛りの配置を、そのサイズが昇順、降順と交互になるように配置している点である。そして、切離可能とすることで、上述したごとくの最適な指のサイズの測定が可能となるものである。また、サイズの特別な配置の形態によって、限られたスペース（例えば、定形郵便物のサイズ）内に、多くの要素を盛り込むことが可能となり、その配送料（郵便料金等）を最小限に抑えられるというところにある。
【００３６】
このような構造について開示する文献は存在しないといえる。そして、このような各種の思考を凝らした構造、及び、その構造によって齎される効果は、従来技術に開示されるような、単純で当業者が容易に想到がし得るものとは一線を画すものであり、自然法則を利用した技術的思想の創作のうち高度のものに該当するということができ、さらに、いわゆる進歩性の要件についても充分に充足するものといえる。
【産業上の利用可能性】
【００３７】
以上の構成は、顧客に最適なサイズの指輪を提供したいという強い思いと、インターネット販売等における配送・流通の現状を踏まえることで、試行錯誤の上で辿り着いたものである。また、指輪販売業界等の活性化を担う強力なツールとなることは大いに期待できるものである。また、その利用の市場は、日本国内のみに止まらず外国においても大いに期待できるものである。
【図面の簡単な説明】
【００３８】
【図１】リングゲージの全体構成を示した斜視図。
【図２】リングゲージの全体構成を示した平面図。
【図３】指輪ゲージ部の構成を示した平面図。
【図４】指ゲージ部の構成を示した平面図。
【図５】指ゲージ部を分割した状態を示した平面図。
【図６】リングゲージを封筒に挿入する状態を示した斜視図。
【図７】リングゲージにシールを貼着した状態を示した平面図。
【符号の説明】
【００３９】
１      リングゲージ
２      指輪ゲージ部
２ａ    目盛り
３      指ゲージ部
３ａ    貫通孔
４      サイズ
１１    リングゲージ
１２    指輪ゲージ部
１２ａ  目盛り
１３    指ゲージ部
１３ａ  貫通孔
【図１】
0003136077.tif 000003
【図２】
0003136077.tif 000004
【図３】
0003136077.tif 000005
【図４】
0003136077.tif 000006
【図５】
0003136077.tif 000007
【図６】
0003136077.tif 000008
【図７】
0003136077.tif 000009